(57)【要約】  共用蓄電池を公平に使用することができる共用蓄電池管理システムを提供する。共用蓄電池管理システムは、複数のテナントそれぞれから共用蓄電池の使用申請を受け付ける共用蓄電池使用申請受け付け部と、前記複数のテナントそれぞれの前記共用蓄電池の使用状況を記憶する記憶部と、前記共用蓄電池使用申請受け付け部で受け付けた複数のテナントの前記共用蓄電池の使用申請の時間が重複した場合に、前記記憶部に記憶された前記共用蓄電池の使用状況の情報に基づいて優先権を与えるテナントを決めて、前記共用蓄電池のスケジュールを作成するスケジュール作成部と、前記スケジュール作成部が作成したスケジュールに基づいて前記共用蓄電池を制御する共用蓄電池制御指令部と、を備えた。
2020245860.tif 000002
【特許請求の範囲】
【請求項１】
複数のテナントそれぞれから共用蓄電池の使用申請を受け付ける共用蓄電池使用申請受け付け部と、
前記複数のテナントそれぞれの前記共用蓄電池の使用状況を記憶する記憶部と、
前記共用蓄電池使用申請受け付け部で受け付けた複数のテナントの前記共用蓄電池の使用申請の時間が重複した場合に、前記記憶部に記憶された前記共用蓄電池の使用状況の情報に基づいて優先権を与えるテナントを決めて、前記共用蓄電池のスケジュールを作成するスケジュール作成部と、
前記スケジュール作成部が作成したスケジュールに基づいて前記共用蓄電池を制御する共用蓄電池制御指令部と、
を備えた共用蓄電池管理システム。
【請求項２】
前記記憶部は、前記複数のテナントそれぞれの前記共用蓄電池の使用間隔と使用時間帯と使用実績の情報を記憶し、
前記スケジュール作成部は、前記共用蓄電池使用申請受け付け部で受け付けた複数のテナントの前記共用蓄電池の使用申請の時間が重複した場合に、前記記憶部に記憶された前記共用蓄電池の使用間隔と使用時間帯と使用実績との情報にそれぞれ対応する重みづけの積算値に基づいて優先権を与えるテナントを決めて、前記共用蓄電池のスケジュールを作成する請求項１に記載の共用蓄電池管理システム。
【請求項３】
前記スケジュール作成部は、前記共用蓄電池使用申請受け付け部が使用申請を受け付けた使用時間帯のうち、使用頻度の高い時間帯ほど重みづけを高く設定する請求項１または請求項２に記載の共用蓄電池管理システム。
【請求項４】
前記スケジュール作成部は、前記共用蓄電池使用申請受け付け部が使用申請を受け付けた時間と使用実績に対する経過時間が短いほど重みづけを高く設定する請求項１または請求項２に記載の共用蓄電池管理システム。
【発明の詳細な説明】
【技術分野】
【０００１】
この発明は、共用蓄電池管理システムに関する。
【背景技術】
【０００２】
特許文献１は、共用蓄電池管理システムを開示する。当該共用蓄電池管理システムによれば、地域での電力ロスを小さく最小限に抑え得る。
【先行技術文献】
【特許文献】
【０００３】
【特許文献１】日本特開２０１６−４０９７０号公報
【発明の概要】
【発明が解決しようとする課題】
【０００４】
しかしながら、特許文献１に記載の当該共用蓄電池管理システムは、共用蓄電池の使用申請が早い順番に共用蓄電池の使用を割り当てる。このため、共用蓄電池を公平に使用することができない。【０００５】
この発明は、上述の課題を解決するためになされた。この発明の目的は、共用蓄電池を公平に使用することができる共用蓄電池管理システムを提供することである。
【課題を解決するための手段】
【０００６】
この発明に係る共用蓄電池管理システムは、複数のテナントそれぞれから共用蓄電池の使用申請を受け付ける共用蓄電池使用申請受け付け部と、前記複数のテナントそれぞれの前記共用蓄電池の使用状況を記憶する記憶部と、前記共用蓄電池使用申請受け付け部で受け付けた複数のテナントの前記共用蓄電池の使用申請の時間が重複した場合に、前記記憶部に記憶された前記共用蓄電池の使用状況の情報に基づいて優先権を与えるテナントを決めて、前記共用蓄電池のスケジュールを作成するスケジュール作成部と、前記スケジュール作成部が作成したスケジュールに基づいて前記共用蓄電池を制御する共用蓄電池制御指令部と、を備えた。
【発明の効果】
【０００７】
この発明によれば、共用蓄電池管理システムは、共用蓄電池の使用状況の情報に基づいて優先権を与えるテナントを決めて、蓄電池のスケジュールを作成する。共用蓄電池管理システムは、当該スケジュールに基づいて共用蓄電池を制御する。このため、共用蓄電池を公平に使用することができる。
【図面の簡単な説明】
【０００８】
【図１】実施の形態１における共用蓄電池管理システムが適用されるシステムの構成図である。
【図２】実施の形態１における共用蓄電池管理システムが適用されるシステムの詳細構成図である。
【図３】実施の形態１における共用蓄電池管理システムによる重みづけの第１例を説明するための図である。
【図４】実施の形態１における共用蓄電池管理システムによる重みづけの第２例を説明するための図である。
【図５】実施の形態１における共用蓄電池管理システムによる重みづけの結果の第１例を説明するための図である。
【図６】実施の形態１における共用蓄電池管理システムによる重みづけの結果の第２例を説明するための図である。
【図７】実施の形態１における共用蓄電池管理システムによる重みづけの結果の利用例を説明するための図である。
【図８】実施の形態１における共用蓄電池管理システムの動作の概要を説明するためのフローチャートである。
【図９】実施の形態１における共用蓄電池管理システムがスケジュールを作成する際の動作を説明するためのフローチャートである。
【図１０】実施の形態１における共用蓄電池管理システムのハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１における共用蓄電池管理システムが適用されるシステムの構成図である。
【００１１】
図１において、ビル１は、電力供給元から電力の供給を受ける。テナント２ａとテナント２ｂとテナント２ｃとは、複数のテナントとして、ビル１の内部に入る。
【００１２】
例えば、共用蓄電池４は、ビル１の内部に設けられる。共用蓄電池４は、電力供給元から電力の供給を受け得るように設けられる。
【００１３】
例えば、共用蓄電池管理システム３は、ビル１の内部に設けられる。共用蓄電池管理システム３は、テナント２ａとテナント２ｂとテナント２ｃとの共用蓄電池４の使用可否を判定し得るように設けられる。
【００１４】
次に、図２を用いて、テナント２ａとテナント２ｂとテナント２ｃと共用蓄電池管理システム３との詳細を説明する。
図２は実施の形態１における共用蓄電池管理システムが適用されるシステムの詳細構成図である。
【００１５】
図２において、テナント２ａは、共用蓄電池スケジュール表示部３１１ａと共用蓄電池使用申請実行部３１２ａとを備える。
【００１６】
テナント２ｂは、共用蓄電池スケジュール表示部３１１ｂと共用蓄電池使用申請実行部３１２ｂとを備える。
【００１７】
テナント２ｃとは、共用蓄電池スケジュール表示部３１１ｃと共用蓄電池使用申請実行部３１２ｃとを備える。
【００１８】
共用蓄電池管理システム３は、共用蓄電池記憶部３３０と共用蓄電池使用申請受け付け部３２０と共用蓄電池スケジュール作成部３４０と共用蓄電池スケジュール記憶部３５０と共用蓄電池制御指令部３６０と管理者指示部３７０とを備える。
【００１９】
共用蓄電池記憶部３３０は、共用蓄電池使用実績記憶部３３３と共用蓄電池使用時間帯記憶部３３２と共用蓄電池使用間隔記憶部３３１とを備える。
【００２０】
共用蓄電池使用実績記憶部３３３は、共用蓄電池４の使用実績の情報を記憶する。共用蓄電池使用時間帯記憶部３３２は、共用蓄電池４の使用時間帯の情報を記憶する。共用蓄電池使用間隔記憶部３３１は、共用蓄電池４の使用間隔の情報を記憶する。
【００２１】
共用蓄電池使用申請受け付け部３２０は、共用蓄電池使用申請実行部３１２ａと共用蓄電池使用申請実行部３１２ｂと共用蓄電池使用申請実行部３１２ｃとからの共用蓄電池４の使用申請の情報を受け付ける。
【００２２】
共用蓄電池スケジュール作成部３４０は、共用蓄電池記憶部３３０からの情報と共用蓄電池使用申請受け付け部３２０からの情報とに基づいて共用蓄電池４のスケジュールを作成する。
【００２３】
共用蓄電池スケジュール記憶部３５０は、共用蓄電池スケジュール作成部３４０により作成されたスケジュールの情報を記憶する。当該情報は、テナント２ａの共用蓄電池スケジュール表示部３１１ａとテナント２ｂの共用蓄電池スケジュール表示部３１１ｂとテナント２ｃの共用蓄電池スケジュール表示部３１１ｃに表示される。
【００２４】
共用蓄電池制御指令部３６０は、共用蓄電池スケジュール記憶部３５０により記憶された情報に基づいて共用蓄電池４を制御する。
【００２５】
管理者指示部３７０は、共用蓄電池スケジュール作成部３４０に対してスケジュールに関わる重み付け係数等を指示する。例えば、管理者指示部３７０は、共用蓄電池４の使用間隔と使用時間帯と使用実績とにそれぞれ対応する重みづけ係数を指示する。
【００２６】
次に、図３を用いて、スケジュールを作成する際の重みづけの第１例を説明する。
図３は実施の形態１における共用蓄電池管理システムによる重みづけの第１例を説明するための図である。
【００２７】
図３に示されるように、重みづけ係数Ｘは、一日の時間帯に応じて設定される。需要が少ない時間帯において、重みづけ係数Ｘは、小さく設定される。その結果、普段は共用蓄電池４の需要が逼迫しない時間帯に使用するテナントは、日ごろから需要が多い時間帯に使用するテナントよりも重みづけが小さく設定される。
【００２８】
例えば、重みづけを加味した共用蓄電池４の使用量は、次の（１）式で設定される。
【００２９】
【数１】
2020245860.tif 000003
【００３０】
ただし、（１）式において、Ｐは１時間で使用した電力量である。ｔは時間である。
【００３１】
次に、図４を用いて、スケジュールを作成する際の重みづけの第２例を説明する。
図４は実施の形態１における共用蓄電池管理システムによる重みづけの第２例を説明するための図である。
【００３２】
図４に示されるように、重みづけ係数Ｙは、共用蓄電池を使用した日時から日付が立つほど、非線形で小さくなる。その結果、使用間隔が空くほど使用頻度が低いテナントだと判定される。この際の重みづけが低く設定される。なお、重みづけ係数Ｙは、線形で変化してもよい。
【００３３】
例えば、重みづけを加味した共用蓄電池４の使用電力量は、次の（２）式で設定される。
【００３４】
【数２】
2020245860.tif 000004
【００３５】
ただし、（２）式において、ｆ１は、（１）式で算出される使用電力量である。期間は５日間である。
【００３６】
次に、図５を用いて、重みづけの結果の第１例を説明する。
図５は実施の形態１における共用蓄電池管理システムによる重みづけの結果の第１例を説明するための図である。
【００３７】
図５において、時間毎の使用電力量の合計においては、「テナントＢ＞テナントＡ＞テナントＣ」の順となる。
【００３８】
しかしながら、現時点においては、１１時から１５時の重みづけ係数が高く設定される。
【００３９】
このため、重みづけ後の時間毎の電力使用量（ｆ１）においては、「テナントＢ’＞テナントＣ’＞テナントＡ’」の順となる。需要の少ない夜間に共用蓄電池４を使用したテナントＡがその日の重みづけ結果では一番優先される。
【００４０】
次に、図６を用いて、重みづけの結果の第２例を説明する。
図６は実施の形態１における共用蓄電池管理システムによる重みづけの結果の第２例を説明するための図である。
【００４１】
図６において、５日間の電力使用量においては、「テナントＢ＞テナントＡ＞テナントＣ」の順となる。
【００４２】
しかしながら、テナントＣは、一番重みづけが大きい当日に１０００を使用している。
【００４３】
このため、重みづけ後の１日後毎の使用量（ｆ２）においては、「テナントＣ’＞テナントＢ’＞テナントＡ’」の順となる。つまり、重みづけの結果、一番過度に使用せず頻度が少なめのテナントＡが優先される。
【００４４】
次に、図７を用いて、重みづけの結果の利用例を説明する。
図７は実施の形態１における共用蓄電池管理システムによる重みづけの結果の利用例を説明するための図である。
【００４５】
図７に示されるように、テナントＡは、４時から１６時の共用蓄電池４の使用申請を提出する。テナントＢは、４時から２４時の共用蓄電池４の使用申請を提出する。テナントＣは、８時から１６時の共用蓄電池４の使用申請を提出する。
【００４６】
この際、優先順位は、重み付けにより４時間毎に変化する。その結果、共用蓄電池４のスケジュールが決まる。
【００４７】
具体的には、４時から１２時においては、優先順位が１番のテナントＡが共用蓄電池４を使用するスケジュールとなる。１２時において、テナントＡの当日分の使用量が多くなり、テナントＢの優先順位が１番となる。その結果、１２時からは、テナントＢが共用蓄電池４を使用するスケジュールとなる。１６時から２４時においては、テナントＢ以外のテナントからの使用申請は提出されていない。このため、優先順位に関わらず、テナントＢが共用蓄電池４を使用するスケジュールとなる。
【００４８】
次に、図８を用いて、共用蓄電池管理システム３の動作の概要を説明する。
図８は実施の形態１における共用蓄電池管理システムの動作の概要を説明するためのフローチャートである。
【００４９】
ステップＳ１では、共用蓄電池スケジュール作成部３４０は、共用蓄電池使用時間帯記憶部３３２から情報を読み出す。その後、共用蓄電池スケジュール作成部３４０は、ステップＳ２の動作を行う。ステップＳ２では、共用蓄電池スケジュール作成部３４０は、共用蓄電池使用間隔記憶部３３１から情報を読み出す。その後、共用蓄電池スケジュール作成部３４０は、ステップＳ３の動作を行う。ステップＳ３では、共用蓄電池スケジュール作成部３４０は、共用蓄電池使用実績記憶部３３３から情報を読み出す。
【００５０】
その後、共用蓄電池スケジュール作成部３４０は、ステップＳ４の動作を行う。ステップＳ４では、共用蓄電池スケジュール作成部３４０は、読み出された情報に基づいて重み付けを実施する。その後、共用蓄電池スケジュール作成部３４０は、ステップＳ５の動作を行う。ステップＳ５では、共用蓄電池スケジュール作成部３４０は、重み付けの結果に基づいてスケジュールを作成する。その後、共用蓄電池スケジュール作成部３４０は、動作を終了する。
【００５１】
次に、図９を用いて、共用蓄電池管理システム３がスケジュールを作成する際の動作を説明する。
図９は実施の形態１における共用蓄電池管理システムがスケジュールを作成する際の動作を説明するためのフローチャートである。
【００５２】
ステップＳ１１では、共用蓄電池スケジュール作成部３４０は、重みづけ結果による優先順位の処理結果の情報を読み出す。その後、共用蓄電池スケジュール作成部３４０は、ステップＳ１２の動作を行う。ステップＳ１２では、共用蓄電池スケジュール作成部３４０は、共用蓄電池４の使用申請の情報を読み出す。
【００５３】
その後、共用蓄電池スケジュール作成部３４０は、ステップＳ１３の動作を行う。ステップＳ１３では、共用蓄電池スケジュール作成部３４０は、優先順位が上位のテナントからの使用申請があるか否かを判定する。
【００５４】
ステップＳ１３で優先順位が上位のテナントからの使用申請がない場合、共用蓄電池スケジュール作成部３４０は、ステップＳ１４の動作を行う。ステップＳ１４では、共用蓄電池スケジュール作成部３４０は、全てのテナントの情報が読み出されたか否かを判定する。
【００５５】
ステップＳ１４でいずれかのテナントの情報が読み出されていない場合、共用蓄電池スケジュール作成部３４０は、ステップＳ１２の動作を行う。ステップＳ１４で全てのテナントの情報が読み出された場合、共用蓄電池スケジュール作成部３４０は、ステップＳ１５の動作を行う。ステップＳ１５では、共用蓄電池スケジュール作成部３４０は、スケジュールにテナントを登録しない。その後、共用蓄電池スケジュール作成部３４０は、動作を終了する。
【００５６】
ステップＳ１３で優先順位が上位のテナントからの使用申請がある場合、共用蓄電池スケジュール作成部３４０は、ステップＳ１６の動作を行う。ステップＳ１６では、共用蓄電池スケジュール作成部３４０は、スケジュールに当該テナントを登録する。その後、共用蓄電池スケジュール作成部３４０は、動作を終了する。
【００５７】
以上で説明した実施の形態１によれば、共用蓄電池管理システム３は、共用蓄電池４の使状況に基づいて優先権を与えるテナント２ａ等を決めて、共用蓄電池４のスケジュールを作成する。共用蓄電池管理システム３は、当該スケジュールに基づいて共用蓄電池４を制御する。このため、共用蓄電池４を公平に使用することができる。
【００５８】
なお、共用蓄電池４の使用間隔と使用時間帯と使用実績とにそれぞれ対応する重みづけの積算値に基づいて優先権を与えるテナント２ａ等を決め、共用蓄電池４のスケジュールを作成してもよい。この場合も、共用蓄電池４を公平に使用することができる。
【００５９】
また、共用蓄電池管理システム３は、使用頻度の高い時間帯ほど重みづけを高く設定する。このため、共用蓄電池４をより公平に使用することができる。
【００６０】
また、共用蓄電池管理システム３は、使用申請を受け付けた時間と使用実績に対する経過時間が短いほど重みづけを高く設定する。このため、共用蓄電池４をより公平に使用することができる。
【００６１】
次に、図１０を用いて、共用蓄電池管理システム３の例を説明する。
図１０は実施の形態１における共用蓄電池管理システムのハードウェア構成図である。
【００６２】
共用蓄電池管理システム３の各機能は、処理回路により実現し得る。例えば、処理回路は、少なくとも１つのプロセッサ１００ａと少なくとも１つのメモリ１００ｂとを備える。例えば、処理回路は、少なくとも１つの専用のハードウェア２００を備える。
【００６３】
処理回路が少なくとも１つのプロセッサ１００ａと少なくとも１つのメモリ１００ｂとを備える場合、共用蓄電池管理システム３の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１００ｂに格納される。少なくとも１つのプロセッサ１００ａは、少なくとも１つのメモリ１００ｂに記憶されたプログラムを読み出して実行することにより、共用蓄電池管理システム３の各機能を実現する。少なくとも１つのプロセッサ１００ａは、中央処理装置、処理装置、演算装置、マイクロプロセッサ、マイクロコンピュータ、ＤＳＰともいう。例えば、少なくとも１つのメモリ１００ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００６４】
処理回路が少なくとも１つの専用のハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、共用蓄電池管理システム３の各機能は、それぞれ処理回路で実現される。例えば、共用蓄電池管理システム３の各機能は、まとめて処理回路で実現される。
【００６５】
共用蓄電池管理システム３の各機能について、一部を専用のハードウェア２００で実現し、他部をソフトウェアまたはファームウェアで実現してもよい。例えば、制御部９ｂの機能については専用のハードウェア２００としての処理回路で実現し、制御部９ｂの機能以外の機能については少なくとも１つのプロセッサ１００ａが少なくとも１つのメモリ１００ｂに格納されたプログラムを読み出して実行することにより実現してもよい。
【００６６】
このように、処理回路は、ハードウェア２００、ソフトウェア、ファームウェア、またはこれらの組み合わせで共用蓄電池管理システム３の各機能を実現する。
【産業上の利用可能性】
【００６７】
以上のように、この発明に係る共用蓄電池管理システムは、電力を供給するシステムに利用できる。
【符号の説明】
【００６８】
１  ビル、  ２ａ  テナント、  ２ｂ  テナント、  ２ｃ  テナント、  ３  共用蓄電池管理システム、  ４  共用蓄電池、  ３１１ａ  共用蓄電池スケジュール表示部、  ３１１ｂ  共用蓄電池スケジュール表示部、  ３１１ｃ  共用蓄電池スケジュール表示部、  ３１２ａ  共用蓄電池使用申請実行部、  ３１２ｂ  共用蓄電池使用申請実行部、  ３１２ｃ  共用蓄電池使用申請実行部、  ３２０  共用蓄電池使用申請受け付け部、  ３３０  共用蓄電池記憶部、  ３３１  共用蓄電池使用間隔記憶部、  ３３２  共用蓄電池使用時間帯記憶部、  ３３３  共用蓄電池使用実績記憶部、  ３４０  共用蓄電池スケジュール作成部、  ３５０  共用蓄電池スケジュール記憶部、  ３６０  共用蓄電池制御指令部
【図１】
2020245860.tif 000005
【図２】
2020245860.tif 000006
【図３】
2020245860.tif 000007
【図４】
2020245860.tif 000008
【図５】
2020245860.tif 000009
【図６】
2020245860.tif 000010
【図７】
2020245860.tif 000011
【図８】
2020245860.tif 000012
【図９】
2020245860.tif 000013
【図１０】
2020245860.tif 000014
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
複数のテナントそれぞれから共用蓄電池の使用申請を受け付ける共用蓄電池使用申請受け付け部と、
前記複数のテナントそれぞれの前記共用蓄電池の使用状況を記憶する記憶部と、
前記共用蓄電池使用申請受け付け部で受け付けた複数のテナントの前記共用蓄電池の使用申請の時間が重複した場合に、前記記憶部に記憶された前記共用蓄電池の使用状況の情報に基づいて優先権を与えるテナントを決めて、前記共用蓄電池のスケジュールを作成するスケジュール作成部と、
前記スケジュール作成部が作成したスケジュールに基づいて前記共用蓄電池を制御する共用蓄電池制御指令部と、
を備え、
前記記憶部は、前記複数のテナントそれぞれの前記共用蓄電池の使用間隔と使用時間帯と使用実績の情報を記憶し、
前記スケジュール作成部は、前記共用蓄電池使用申請受け付け部で受け付けた複数のテナントの前記共用蓄電池の使用申請の時間が重複した場合に、前記記憶部に記憶された前記共用蓄電池の使用間隔と使用時間帯と使用実績との情報にそれぞれ対応する重みづけの積算値に基づいて優先権を与えるテナントを決めて、前記共用蓄電池のスケジュールを作成する共用蓄電池管理システム。
【請求項２】
前記スケジュール作成部は、前記共用蓄電池使用申請受け付け部が使用申請を受け付けた使用時間帯のうち、使用頻度の高い時間帯ほど重みづけを高く設定する請求項１に記載の共用蓄電池管理システム。
【請求項３】
前記スケジュール作成部は、前記共用蓄電池使用申請受け付け部が使用申請を受け付けた時間と使用実績に対する経過時間が短いほど重みづけを高く設定する請求項１に記載の共用蓄電池管理システム。
【手続補正２】
【補正対象書類名】明細書
【補正対象項目名】０００６
【補正方法】変更
【補正の内容】
【０００６】
この発明に係る共用蓄電池管理システムは、複数のテナントそれぞれから共用蓄電池の使用申請を受け付ける共用蓄電池使用申請受け付け部と、前記複数のテナントそれぞれの前記共用蓄電池の使用状況を記憶する記憶部と、前記共用蓄電池使用申請受け付け部で受け付けた複数のテナントの前記共用蓄電池の使用申請の時間が重複した場合に、前記記憶部に記憶された前記共用蓄電池の使用状況の情報に基づいて優先権を与えるテナントを決めて、前記共用蓄電池のスケジュールを作成するスケジュール作成部と、前記スケジュール作成部が作成したスケジュールに基づいて前記共用蓄電池を制御する共用蓄電池制御指令部と、を備え、前記記憶部は、前記複数のテナントそれぞれの前記共用蓄電池の使用間隔と使用時間帯と使用実績の情報を記憶し、前記スケジュール作成部は、前記共用蓄電池使用申請受け付け部で受け付けた複数のテナントの前記共用蓄電池の使用申請の時間が重複した場合に、前記記憶部に記憶された前記共用蓄電池の使用間隔と使用時間帯と使用実績との情報にそれぞれ対応する重みづけの積算値に基づいて優先権を与えるテナントを決めて、前記共用蓄電池のスケジュールを作成する。
【国際調査報告】
2020245860.tif 000015
2020245860.tif 000016